(57)【要約】【目的】本発明は、システムへログインする時のログイン方法およびログインシステムに関し、利用者のみが知る方位をもとに認証してログインさせることで認証をより強化することを目的とする。【構成】  システムへログインする時に、ユーザＩＤおよびパスワードについて必要に応じて入力させて取り込むステップと、取り込む際、あるいは所定のキーが押下、あるいは所定の操作がされたときに内蔵する電子コンパスの方位を取り込むステップと、取り込んだ必要に応じて入力させたユーザＩＤ、パスワード、および電子コンパスの方位をもとに、予め登録したテーブルと照合して一致したときにログインを許可あるいは一致しなかったときにログインを不許可するステップとを有する。【選択図】        図１
2007213409.tif 000002
【特許請求の範囲】
【請求項１】
システムへログインする時のログイン方法において、
システムへログインする時に、ユーザＩＤおよびパスワードについて必要に応じて入力させて取り込むステップと、
前記取り込む際、あるいは所定のキーが押下、あるいは所定の操作がされたときに内蔵する電子コンパスの方位を取り込むステップと、
前記取り込んだ必要に応じて入力させたユーザＩＤ、パスワード、および電子コンパスの方位をもとに、予め登録したテーブルと照合して一致したときにログインを許可あるいは一致しなかったときにログインを不許可するステップと
を有するログイン方法。
【請求項２】
前記電子コンパスの方位が、前記テーブルに登録されている電子コンパスの方位およびその幅で決まる方位の範囲内にあったときに一致と判定することを特徴とする請求項１記載のログイン方法。
【請求項３】
前記ログインするシステムは、ユーザが所持するログインする携帯端末、あるいはユーザが所持する携帯端末にインストールされている所定業務を行うログインするアプリケーションプログラム、あるいはユーザが所持する携帯端末からログインするネットワーク、あるいはユーザが所持する携帯端末からネットワークを介して接続したログインするコンピュータシステム、あるいは当該コンピュータシステム上で動作するログインするアプリケーションプログラムであることを特徴とする請求項１あるいは請求項２記載のログイン方法。
【請求項４】
所定キーが操作されたときに、前記内蔵する電子コンパスの方位を画面上に表示することを特徴とする請求項１から請求項３のいずれかに記載のログイン方法。
【請求項５】
システムへログインする時のログインシステムにおいて、
システムへログインする時に、ユーザＩＤおよびパスワードについて必要に応じて入力させて取り込む手段と、
前記取り込む際、あるいは所定のキーが押下、あるいは所定の操作がされたときに内蔵する電子コンパスの方位を取り込む手段と、
前記取り込んだ必要に応じて入力させたユーザＩＤ、パスワード、および電子コンパスの方位をもとに、予め登録したテーブルと照合して一致したときにログインを許可あるいは一致しなかったときにログインを不許可する手段と
を備えたことを特徴とするログインシステム。
【発明の詳細な説明】
【技術分野】
【０００１】
本発明は、システムへログインする時のログイン方法およびログインシステムに関するものである。
【背景技術】
【０００２】
従来、コンピュータシステムなどにログインする場合、ユーザＩＤとパスワードを入力させて予め登録されている当該ユーザのＩＤとパスワードを照合して一致したときにログインを許可するようにしている。
【０００３】
また、非接触ＩＣカードをより高い認証を行うために、当該非接触カードが通信装置を構成するリーダ・ライタにかざされたときに、その向きを２つのアンテナで検出して当該向きを認証に使用する技術がある（特許文献１）。
【特許文献１】特開２００４−３４１７０２号公報
【発明の開示】
【発明が解決しようとする課題】
【０００４】
上述した前者では、ログイン時にユーザＩＤとパスワードで認証するために、充分なセキュリティを確保できないという問題があった。
【０００５】
また、上述した後者では、非接触カードを通信装置のリーダ・ライタにかざした向けを検出してこの向きを認証に使用することで認証を向上させることができるが、向きでは簡単に見分けられてしまうという問題があった。
【課題を解決するための手段】
【０００６】
本発明は、これらの問題を解決するため、端末に方位センサを具備させてログイン時にユーザＩＤ，パスワードに加えてあるいは代わり当該端末が具備する方位センサが所定方位を向いていたときにログインを許可するようにしている。
【発明の効果】
【０００７】
本発明は、端末に方位センサを具備させてログイン時にユーザＩＤ，パスワードに加えてあるいは代わりに当該端末が具備する方位センサが所定方位を向いていたときにログインを許可することにより、利用者のみが知る方位をもとに認証してログインさせることで認証をより強化することが可能となる。
【発明を実施するための最良の形態】
【０００８】
本発明は、端末に方位センサを具備させてログイン時にユーザＩＤ，パスワードに加えてあるいは代わりに当該端末が具備する方位センサが所定方位を向いていたときにログインを許可し、利用者のみが知る方位をもとに認証してログインさせることで認証をより強化することを実現した。
【実施例１】
【０００９】
図１は、本発明のシステム構成図を示す。
図１において、端末１は、ユーザが所持する携帯端末であって、ここでは、認証チェック手段２、電子コンパス表示手段３、パスワードテーブル４、および各種入力である、パスワード入力５、電子コンパス出力ＯＫ範囲設定６、電子コンパス入力７、ユーザ操作８などから構成されるものである。当該端末１は、図示しないが、各種アプリケーションプログラムをインストールしてログインしたり、更に、図示外の有線、無線でネットワークにログインしたり、ネットワークを介してコンピュータシステムにログインしたり、更に、当該コンピュータシステム上で動作する各種アプリケーションプログラムにログインしたりするようにしている。
【００１０】
認証チェック手段２は、認証をチェックするものであって、入力されたユーザＩＤ，パスワード、電子コンパスの方位をもとにパスワードテーブル４を参照して認証をチェックするものである（図２から図４参照）。
【００１１】
電子コンパス表示手段３は、端末１が内蔵する図示外の電子コンパスの方位を画面上に表示するものである（図２から図５参照）。
【００１２】
パスワードテーブル４は、ユーザＩＤ，パスワード、電子コンパスの方位と幅などを予め登録したものである（図２から図４参照）。
【００１３】
パスワード入力５は、ユーザが端末１の画面上で、パスワードを入力するものである。
電子コンパス出力ＯＫ範囲設定６は、電子コンパスの方位がＯＫとなってログイン許可と判断する、電子コンパスの方位とその幅を入力してパスワードテーブル４に登録（設定）するものである。
【００１４】
電子コンパス入力７は、電子コンパスの方位の取り込みを指示するものである。
ユーザ操作８は、各種ユーザからの操作であって、ここでは、特定キーを押下して電子コンパス表示手段３に指示し、端末１が内蔵する電子コンパスの現在の方位を画面上に所定時間の間だけ、確認のために表示させるものである（図２から図５参照）。
【００１５】
次に、図２のフローチャートの順番に従い、図１の構成の動作を詳細に説明する。
図２は、本発明の動作説明フローチャートを示す。
【００１６】
図２の（ａ）は全体の動作説明フローチャートを示し、図２の（ｂ）は電子コンパスの表示フローチャートを示す。
【００１７】
図２の（ａ）において、Ｓ１は、電源ＯＮにする。これは、図１の端末１の電源をＯＮにする。
【００１８】
Ｓ２は、パスワード入力画面を表示する。これは、図４のパスワード入力画面を表示し、ユーザにログイン用のパスワードの入力を促す。
【００１９】
Ｓ３は、パスワードを入力する。これは、ユーザがＳ２で表示された図４のパスワード入力画面上で、ここでは、図１の端末１にログインするパスワードを入力（数字キーなどを押下してパスワードを入力）する。
【００２０】
Ｓ４は、パスワードＯＫか判別する。これは、Ｓ３でユーザが入力したパスワードについて、認証チェック手段２がパスワードテーブル４を参照し、予め登録されているパスワードと一致するか判別する。ＹＥＳの場合には、Ｓ５に進む。ＮＯの場合には、Ｓ２に戻り繰り返す。
【００２１】
Ｓ５は、方向チェックＯＫか判別する。これは、Ｓ１からＳ４の間で図１の端末１が内蔵する図示外の電子コンパスの方位を取得し、当該電子コンパスの方位が。図３のパスワードテーブル４に予め登録されている方位と幅の範囲内にあるか判別する。ＹＥＳの場合には、図１の端末１が内蔵する電子コンパスの方位（即ち、端末１の方位）が予めパスワードテーブル４に登録しておいた方位とその幅の範囲内にあって、認証ＯＫか判別する。ＹＥＳの場合には、ログインを許可する。ＮＯの場合には、Ｓ２に戻り所定回数（例えば３回）繰り返し、それでもＮＯの場合には、所定時間の間、ログインが出来ないようにロックする。
【００２２】
以上によって、ユーザは図１の端末１の電源をＯＮにした後（例えば開閉式の携帯端末１の場合には開いて電源を自動ＯＮした後）、画面上からパスワードを入力すると、当該パスワードがパスワードテーブル４に予め登録されたものと一致するときに認証ＯＫと判定、更に、電源ＯＮ時（あるいは最新の時）の図１の端末１に内蔵されている図示外の電子コンパスの方位を取得し、当該取得した方位がパスワードテーブル４に予め登録された方位とその幅の範囲内にあったときに方位の認証ＯＫと判定し、これらパスワード、方位の認証が共にＯＫのときにログインを許可することが可能となる。これらにより、パスワードに加えてあるいはパスワードなしに、電子コンパスの方位をもとに認証を判定してログインを許可することで、より認証を強化することが可能となる。
【００２３】
図２の（ｂ）において、Ｓ１１は、特定ボタンが押されたか判別する。これは、電子コンパスを表示させる予め設定した特定のボタン（例えば利用者しか知らない特定のボタン）が押下されたか判別する。ＹＥＳの場合には、Ｓ１２に進む。ＮＯの場合には、Ｓ１１を繰り返し待機する。
【００２４】
Ｓ１２は、電子コンパスを表示する。
Ｓ１３は、設定時間を越えたか判別する。ＹＥＳの場合には、Ｓ１４で電子コンパスを消し、Ｓ１１に戻る。ＮＯの場合には、Ｓ１２に戻り電子コンパスを表示する。
【００２５】
以上によって、利用者は図１の端末１が内蔵する電子コンパスの方位を、当該利用者しか知らない特定のボタンを押下して電子コンパスを表示させ、当該表示されている電子コンパスがパスワードテーブル４に設定した方位とその幅で決まる範囲内となるように端末１を回転させて方位を合わせた後、特定ボタンあるいはＳ３のパスワード入力することにより、電子コンパスの方位をパスワードテーブル４に設定した方位とその幅で決まる範囲内であることを入力することが可能となる。
【００２６】
図４は、本発明のパスワード入力画面例を示す。図示のパスワード入力画面は、既述した図２の（ａ）のＳ２で表示する画面例であって、利用者は当該画面上でパスワードを入力する（数字キーなどを順次押下してパスワードを入力する）。
【００２７】
図５は、本発明の電子コンパス画面例を示す。図示の電子コンパス画面例は、既述した図２の（ｂ）のＳ１２で表示した電子コンパス画面の例を示す。
【００２８】
図５の（ａ）は図示の４方向の方位（１つはＮ方向）を持つマークで表示した画面１の例を示し、図５の（ｂ）は矢印のマークでＮ方向を表示した画面２の例を示す。画面２の場合には、電子コンパスを表示したことを他人に知られないように工夫したものである。
【００２９】
尚、以上の実施例では、ユーザが所持する図１の端末１にログインする場合について説明したが、これに限られることなく、
（１）ユーザが図１の端末１にログインした後、更に、当該端末１にインストールされているアプリケーションプログラム（例えば電子メールプログラム）にログインする場合にも同様に、図２の（ａ）のフローチャートに従い、パスワード（更に、ユーザＩＤ）、電子コンパスの方位の認証を行ってＯＫのときにログイン許可する。
【００３０】
（２）  端末１から図示外のネットワークに有線、無線でログインする場合にも、同様に、図２の（ａ）のフローチャートに従い、パスワード（更に、ユーザＩＤ）、電子コンパスの方位の認証を行ってＯＫのときにログイン許可する。
【００３１】
（３）  （２）でネットワークにログインした後、当該ネットワークに接続されているコンピュータシステムにログインする場合にも、同様に、図２の（ａ）のフローチャートに従い、パスワード（更に、ユーザＩＤ）、電子コンパスの方位の認証を行ってＯＫのときにログイン許可する。
【００３２】
（４）  更に、（３）でコンピュータシステムにログインした後、当該コンピュータシステムにインストールされているアプリケーションプログラム（例えばデータベース検索プログラム）にログインする場合にも同様に、図２の（ａ）のフローチャートに従い、パスワード（更に、ユーザＩＤ）、電子コンパスの方位の認証を行ってＯＫのときにログイン許可する。
【産業上の利用可能性】
【００３３】
本発明は、端末に方位センサを具備させてログイン時にユーザＩＤ，パスワードに加えてあるいは代わりに当該端末が具備する方位センサが所定方位を向いていたときにログインを許可し、利用者のみが知る方位をもとに認証してログインさせることで認証をより強化するログイン方法およびログインシステムに関するものである。
【図面の簡単な説明】
【００３４】
【図１】本発明のシステム構成図である。
【図２】本発明の動作説明フローチャートである。
【図３】本発明のパスワードテーブル例である。
【図４】本発明のパスワード入力画面例である。
【図５】本発明の電子コンパス画面例である。
【符号の説明】
【００３５】
１：端末
２：認証チェック手段
３：電子コンパス表示手段
４：パスワードテーブル
【図１】
2007213409.tif 000003
【図２】
2007213409.tif 000004
【図３】
2007213409.tif 000005
【図４】
2007213409.tif 000006
【図５】
2007213409.tif 000007